(57)【要約】【課題】利用者の人数に応じて歌唱待ち時間を短くすることが可能なカラオケ装置を提供する。【解決手段】利用者人数を取得する取得部、取得した利用者人数が所定条件を満たす場合には短縮演奏モードを選択し、取得した利用者人数が所定条件を満たさない場合には通常演奏モードを選択する選択部、選択された短縮演奏モードまたは通常演奏モードに基づいてカラオケ演奏を行う演奏制御部を有するカラオケ装置。【選択図】図２
2020134902.tif 000002
【特許請求の範囲】
【請求項１】
カラオケ装置を利用する利用者の数である利用者人数を取得する取得部と、
取得した前記利用者人数が所定条件を満たす場合には、楽曲毎に予め設定されている演奏時間を短縮する短縮演奏モードを選択し、取得した前記利用者人数が前記所定条件を満たさない場合には、楽曲毎に予め設定されている演奏時間でカラオケ演奏を行う通常演奏モードを選択する選択部と、
前記短縮演奏モード及び前記通常演奏モードを備え、選択された前記短縮演奏モードまたは前記通常演奏モードに基づいてカラオケ演奏を行う演奏制御部と、
を有するカラオケ装置。
【請求項２】
前記演奏制御部は、短縮する前記演奏時間が異なる複数の前記短縮演奏モードを有し、
前記選択部は、取得した前記利用者人数が所定条件を満たす場合に、前記利用者人数に応じて前記複数の短縮演奏モードから一の短縮演奏モードを選択することを特徴とする請求項１記載のカラオケ装置。
【請求項３】
前記カラオケ装置に対する前記利用者のログインを行うログイン処理部を有し、
前記取得部は、ログインしている利用者の数を前記利用者人数として取得することを特徴とする請求項１または２記載のカラオケ装置。
【請求項４】
前記取得部は、楽曲を予約中の利用者を示す利用者識別情報と当該楽曲を示す楽曲識別情報とを紐づけた予約待ち行列に含まれる当該利用者識別情報に基づいて、前記利用者人数を取得することを特徴とする請求項３記載のカラオケ装置。
【請求項５】
前記取得部は、撮影手段により前記利用者を撮影して得られた画像を解析することにより、前記利用者人数を取得することを特徴とする請求項１または２記載のカラオケ装置。
【発明の詳細な説明】
【技術分野】
【０００１】
本発明はカラオケ装置に関する。
【背景技術】
【０００２】
一のカラオケ装置を複数の利用者で利用する場合、一般的には利用者の数が増えるにつれて予約される楽曲の数も多くなる。その結果、各利用者がカラオケ歌唱を開始するまでの待ち時間（以下、「歌唱待ち時間」）が増えることとなる。
【０００３】
そこで、特許文献１には、カラオケ装置で予約された曲数がある一定の曲数を超えた場合に、予約曲について演奏時間を短縮するように演奏データを加工する技術が開示されている。
【先行技術文献】
【特許文献】
【０００４】
【特許文献１】特開平４−３１３８００号公報
【発明の概要】
【発明が解決しようとする課題】
【０００５】
ここで、予約される楽曲の数は必ずしも利用者の人数によって決まるものではない。たとえば、予めカラオケ歌唱したい楽曲が決まっている場合、少人数の利用者であっても予約される楽曲の数は多くなる。一方で、少人数の場合には歌唱待ち時間はそれほど長くはならない。
【０００６】
しかしながら、特許文献１の技術によれば、予約される楽曲の数が一定の曲数を超えた場合には、実際の歌唱待ち時間によらず、楽曲の演奏時間が短縮されることになる。
【０００７】
本発明の目的は、利用者の人数に応じて歌唱待ち時間を短くすることが可能なカラオケ装置を提供することにある。
【課題を解決するための手段】
【０００８】
上記目的を達成するための一の発明は、カラオケ装置を利用する利用者の数である利用者人数を取得する取得部と、取得した前記利用者人数が所定条件を満たす場合には、楽曲毎に予め設定されているカラオケ演奏の演奏時間を短縮する短縮演奏モードを選択し、取得した前記利用者人数が前記所定条件を満たさない場合には、楽曲毎に予め設定されている演奏時間でカラオケ演奏を行う通常演奏モードを選択する選択部と、前記短縮演奏モード及び前記通常演奏モードを備え、選択された前記短縮演奏モードまたは前記通常演奏モードに基づいてカラオケ演奏を行う演奏制御部と、を有するカラオケ装置である。
本発明の他の特徴については、後述する明細書及び図面の記載により明らかにする。
【発明の効果】
【０００９】
本発明によれば、利用者の人数に応じて歌唱待ち時間を短くすることができる。
【図面の簡単な説明】
【００１０】
【図１】第１実施形態に係るカラオケ装置を示す図である。
【図２】第１実施形態に係るカラオケ本体を示す図である。
【図３】第１実施形態に係る利用者人数と短縮演奏モードとの関係を示す図である。
【図４】第１実施形態に係るカラオケ装置の処理を示すフローチャートである。
【図５】第２実施形態に係るカラオケ装置を示す図である。
【発明を実施するための形態】
【００１１】
＜第１実施形態＞
図１〜図４を参照して、第１実施形態に係るカラオケ装置について説明する。
【００１２】
＝＝カラオケ装置＝＝
カラオケ装置Ｋは、楽曲のカラオケ演奏、及び利用者がカラオケ歌唱を行うための装置である。図１に示すように、カラオケ装置Ｋは、カラオケ本体１０、スピーカ２０、表示装置３０、マイク４０、及びリモコン装置５０を備える。
【００１３】
カラオケ本体１０は、選曲された楽曲の演奏制御、歌詞や背景映像等の表示制御、マイク４０を通じて入力された音声信号の処理といった、カラオケ演奏やカラオケ歌唱に関する各種の制御を行う。スピーカ２０はカラオケ本体１０からの放音信号に基づいて放音するための構成である。表示装置３０はカラオケ本体１０からの信号に基づいて映像や画像を画面に表示するための構成である。マイク４０は利用者の歌唱音声をアナログの音声信号に変換してカラオケ本体１０に入力するための構成である。リモコン装置５０は、カラオケ本体１０に対する各種操作をおこなうための装置である。
【００１４】
図２に示すように、本実施形態に係るカラオケ本体１０は、記憶手段１０ａ、通信手段１０ｂ、入力手段１０ｃ、及び制御手段１０ｄを備える。各構成はインターフェース（図示なし）を介してバスＢに接続されている。
【００１５】
［記憶手段］
記憶手段１０ａは、各種のデータを記憶する大容量の記憶装置であり、たとえばハードディスクドライブなどである。記憶手段１０ａは、カラオケ装置Ｋによりカラオケ演奏を行うための複数の楽曲データを記憶する。
【００１６】
楽曲データは、個々の楽曲を特定するための楽曲識別情報が付与されている。楽曲識別情報は、楽曲を識別するための楽曲ＩＤ等、各楽曲に固有の情報である。楽曲データは、伴奏データ、リファレンスデータ等を含む。伴奏データは、カラオケ演奏音の元となるＭＩＤＩ形式のデータである。リファレンスデータは、利用者によるカラオケ歌唱を採点する際の基準として用いられるデータである。各楽曲には、カラオケ演奏の演奏時間が予め設定されている。
【００１７】
また、本実施形態に係る記憶手段１０ａは、短縮演奏モードに関するテーブルデータを記憶している（詳細は後述）。
【００１８】
［通信手段・入力手段］
通信手段１０ｂは、リモコン装置５０との通信を行うためのインターフェースを提供する。入力手段１０ｃは、利用者が各種の指示入力を行うための構成である。入力手段１０ｃは、カラオケ本体１０に設けられたボタン等である。或いは、リモコン装置５０が入力手段１０ｃとして機能してもよい。
【００１９】
［制御手段］
制御手段１０ｄは、カラオケ装置Ｋにおける各種の制御を行う。制御手段１０ｄは、ＣＰＵおよびメモリ（いずれも図示無し）を備える。ＣＰＵは、メモリに記憶されたプログラムを実行することにより各種の機能を実現する。
【００２０】
本実施形態においてはＣＰＵがメモリに記憶されるプログラムを実行することにより、制御手段１０ｄは、ログイン処理部１００、取得部２００、選択部３００、及び演奏制御部４００として機能する。
【００２１】
（ログイン処理部）
ログイン処理部１００は、カラオケ装置Ｋに対する利用者のログインを行う。
【００２２】
たとえば、利用者は、カラオケ装置Ｋのリモコン装置５０を介し、利用者識別情報を入力する。利用者識別情報は、利用者ＩＤ等、利用者を識別するための固有の識別子である。利用者からの操作入力に基づき、ログイン処理部１００は、利用者識別情報を記憶手段１０ａに記憶させることでカラオケ装置Ｋに対する利用者のログインを完了する。本実施形態では複数の利用者がカラオケ装置Ｋにログインしているとする。
【００２３】
ここで、ログイン済みの利用者は、リモコン装置５０を介し、カラオケ歌唱を行いたい楽曲の予約を行う。記憶手段１０ａは、楽曲を予約した利用者の利用者ＩＤと当該楽曲の楽曲ＩＤとを紐付けて予約待ち行列に記憶する。
【００２４】
一方、ログイン済みの利用者がカラオケ装置Ｋの利用を止める場合、リモコン装置５０を介し、自己の利用者識別情報を削除する旨の操作入力（ログアウトの操作入力）を行う。利用者からの操作入力に基づき、ログイン処理部１００は、記憶手段１０ａに記憶している当該利用者の利用者識別情報を削除することでカラオケ装置Ｋに対する利用者のログアウトを完了する。
【００２５】
（取得部）
取得部２００は、カラオケ装置Ｋを利用する利用者の数である利用者人数を取得する。利用者人数の取得は様々な方法で行うことができる。
【００２６】
一例として、取得部２００は、ログインしている利用者の数を利用者人数として取得する。この場合、取得部２００は、ログインまたはログアウトがある都度、利用者人数を取得することができる。
【００２７】
たとえば、利用者Ｕ１〜利用者Ｕ４がカラオケ装置Ｋにログインしている状態で、利用者Ｕ５からカラオケ装置Ｋに対するログインの操作入力があったとする。この場合、ログイン処理部１００は、カラオケ装置Ｋに対する利用者Ｕ５のログインを完了する。
【００２８】
この際、取得部２００は、記憶手段１０ａに記憶されている利用者識別情報の数をカウントし、利用者人数として「５人」を取得する。
【００２９】
一方、利用者Ｕ１〜利用者Ｕ５がカラオケ装置Ｋにログインしている状態で、利用者Ｕ１からカラオケ装置Ｋに対するログアウトの操作入力があったとする。この場合、ログイン処理部１００は、カラオケ装置Ｋに対する利用者Ｕ１のログアウトを完了する。
【００３０】
この際、取得部２００は、記憶手段１０ａに記憶されている利用者識別情報の数をカウントし、利用者人数として「４人」を取得する。
【００３１】
或いは、取得部２００は、最初に予約された楽曲のカラオケ演奏が開始される直前、或いは当該楽曲のカラオケ演奏を開始する指示が利用者からあった場合に、その時点でログインしている利用者の数を利用者人数として取得してもよい。カラオケ演奏を開始する指示は、利用者がリモコン装置５０を操作することにより行う。
【００３２】
また、別の例として、取得部２００は、楽曲を予約中の利用者を示す利用者識別情報と当該楽曲を示す楽曲識別情報とを紐づけた予約待ち行列に含まれる利用者識別情報に基づいて、利用者人数を取得することができる。
【００３３】
たとえば、利用者Ｕ１〜利用者Ｕ５の５人がカラオケ装置Ｋにログインしているとする。一方、記憶手段１０ａの予約待ち行列には、利用者Ｕ１〜利用者Ｕ３が予約中の楽曲、及び利用者Ｕ５が予約中の楽曲のみが含まれているとする。すなわち、利用者Ｕ４は、カラオケ装置Ｋにログインしているが、楽曲の予約中ではない。従って、利用者Ｕ４については歌唱待ち時間を考慮する必要がない。
【００３４】
そこで、取得部２００は、予約待ち行列に含まれる利用者Ｕ１〜Ｕ３、及び利用者Ｕ５の利用者ＩＤに基づいて、利用者人数として「４人」を取得する。
【００３５】
（選択部）
選択部３００は、取得した利用者人数が所定条件を満たす場合には、短縮演奏モードを選択し、取得した利用者人数が所定条件を満たさない場合には、通常演奏モードを選択する。
【００３６】
短縮演奏モードは、楽曲毎に予め設定されているカラオケ演奏の演奏時間を短縮するモードである。演奏時間をどのように短縮するかは、たとえば「２コーラス後、フェードアウト」、「間奏カット」等、予め設定されている。また、演奏短縮モードは、一のモードが設定されていてもよいし、短縮する演奏時間が異なる複数のモードが設定されていてもよい。複数の短縮演奏モードを有する場合、各短縮演奏モードは利用者人数に応じて設定される。
【００３７】
通常演奏モードは、楽曲毎に予め設定されている演奏時間でカラオケ演奏を行うモードである。
【００３８】
所定条件は、短縮演奏モードと通常演奏モードのいずれを選択するかの基準となる条件である。所定条件は利用者人数に基づいて決定される。たとえば「利用者人数が３人以上」という所定条件の場合、選択部３００は、取得された利用者人数が４人の場合には短縮演奏モードを選択し、取得された利用者人数が２人の場合には通常演奏モードを選択する。
【００３９】
また、複数の短縮演奏モードが設定されている場合、選択部３００は、取得した利用者人数が所定条件を満たす場合に、利用者人数に応じて複数の短縮演奏モードから一の短縮演奏モードを選択する。
【００４０】
たとえば、記憶手段１０ａが図３に示すテーブルデータを記憶しているとする。図３に示すテーブルデータは、カラオケ装置Ｋが実行可能な短縮演奏モードと利用者人数との関係を規定している。図３の例によれば利用者人数が多くなるにつれて、一曲の演奏時間が短くなる。また所定条件として「利用者人数が３人以上」が設定されているとする。なお、この例における「２コーラスフェードアウト」は、前奏、１番、間奏、２番を演奏してフェードアウトを行うため演奏時間が通常演奏モードより短く、「２コーラスフェードアウト及び間奏カット」は前奏、１番を演奏した後に間奏を演奏せず２番を演奏してフェードアウトを行うため演奏時間が「２コーラスフェードアウト」よりさらに短い。そして、「１コーラスフェードアウト」は前奏、１番を演奏してフェードアウトを行うため演奏時間が「２コーラスフェードアウト及び間奏カット」よりさらに短い。
【００４１】
ここで、取得した利用者人数が「５人」の場合、選択部３００は、図３のテーブルデータを参照し、短縮演奏モードとして「２コーラスフェードアウト及び間奏カット」を選択する。一方、取得した利用者人数が「８人」の場合、選択部３００は、図３のテーブルデータを参照し、短縮演奏モードとして「１コーラスフェードアウト」を選択する。なお、この例において、取得した利用者人数が２人以下の場合、選択部３００は、通常演奏モードを選択する。
【００４２】
（演奏制御部）
演奏制御部４００は、楽曲の伴奏データに基づいてカラオケ演奏を行う。具体的に、演奏制御部４００は、記憶手段１０ａから伴奏データを読み出し、当該伴奏データに基づいて演奏音を生成し、スピーカ２０から放音させる。
【００４３】
本実施形態に係る演奏制御部４００は、異なる演奏モード（短縮演奏モード及び通常演奏モード）を備え、選択された短縮演奏モードまたは通常演奏モードに基づいてカラオケ演奏を行う。
【００４４】
また、上述のように短縮演奏モードが複数ある場合、演奏制御部４００は、短縮する演奏時間が異なる複数の短縮演奏モードでカラオケ演奏を行うことができる。
【００４５】
たとえば選択部３００により短縮演奏モードが選択されたとする。この場合、演奏制御部４００は、利用者の予約した楽曲のカラオケ演奏全てについて演奏時間を短縮してカラオケ演奏を行う。
【００４６】
＝＝カラオケ装置における処理について＝＝
次に、図４を参照して本実施形態に係るカラオケ装置Ｋにおける処理について述べる。図４は、カラオケ装置Ｋにおける処理を示すフローチャートである。この例では、カラオケ店舗に入店した利用者のグループがカラオケルームにおいて一のカラオケ装置Ｋを利用するものとする。
【００４７】
ログイン処理部１００は、カラオケ装置Ｋに対する各利用者のログインまたはログアウトを行う（各利用者のログインまたはログアウト。ステップ１０）。各利用者はログインした後、自らがカラオケ歌唱を行う楽曲の予約を行う。また、各利用者は、カラオケ装置Ｋの利用を止める場合にはログアウトの指示入力を行う。
【００４８】
取得部２００は、利用者のログインまたはログアウトに応じて、カラオケ装置Ｋを利用する利用者人数を取得する（利用者人数の取得。ステップ１１）。
【００４９】
選択部３００は、ステップ１１で取得した利用者人数が所定条件を満たすかどうかを判断する。
【００５０】
取得した利用者人数が所定条件を満たす場合（ステップ１２でＹの場合）、選択部３００は、楽曲毎のカラオケ演奏の演奏時間を短縮する短縮演奏モードを選択する（短縮演奏モードの選択。ステップ１３）。一方、取得した利用者人数が所定条件を満たさない場合（ステップ１２でＮの場合）、選択部３００は、楽曲毎の演奏時間でカラオケ演奏を行う通常演奏モードを選択する（通常演奏モードの選択。ステップ１４）。
【００５１】
その後、一の利用者がリモコン装置５０を介してカラオケ演奏開始の指示入力を行ったとする（カラオケ演奏開始の指示。ステップ１５）。
【００５２】
演奏制御部４００は、ステップ１３またはステップ１４で選択された演奏モードに基づいてカラオケ演奏を行う（選択された演奏モードに基づくカラオケ演奏。ステップ１６）。
【００５３】
カラオケ装置Ｋは、全ての利用者がログアウトするまで（ステップ１７でＹの場合）、ステップ１０〜ステップ１６の処理を繰り返す。
【００５４】
以上から明らかなように、本実施形態に係るカラオケ装置Ｋは、カラオケ装置Ｋを利用する利用者の数である利用者人数を取得する取得部２００と、取得した利用者人数が所定条件を満たす場合には、楽曲毎に予め設定されているカラオケ演奏の演奏時間を短縮する短縮演奏モードを選択し、取得した利用者人数が所定条件を満たさない場合には、楽曲毎に予め設定されている演奏時間でカラオケ演奏を行う通常演奏モードを選択する選択部３００と、短縮演奏モード及び通常演奏モードを備え、選択された短縮演奏モードまたは通常演奏モードに基づいてカラオケ演奏を行う演奏制御部４００と、を有する。
【００５５】
このようなカラオケ装置Ｋによれば、利用者の人数が多い場合には楽曲毎の演奏時間を短縮することができる。よって、利用者の人数が多い場合であっても歌唱待ち時間が長くなることは無い。一方、利用者の人数が少ない場合には予め設定されている演奏時間でカラオケ演奏が行われるため、楽曲の予約が多くなった場合であっても演奏時間が短縮されることがない。すなわち、本実施形態に係るカラオケ装置Ｋによれば、利用者の人数に応じて歌唱待ち時間を短くすることができる。
【００５６】
また、本実施形態に係るカラオケ装置Ｋにおける演奏制御部４００は、短縮する演奏時間が異なる複数の短縮演奏モードを有し、選択部３００は、取得した利用者人数が所定条件を満たす場合に、利用者人数に応じて複数の短縮演奏モードから一の短縮演奏モードを選択することができる。このように利用者人数に応じて短縮演奏モードを選択することにより、カラオケ装置Ｋは、歌唱待ち時間をより細かく設定することができる。
【００５７】
また、本実施形態に係るカラオケ装置Ｋは、カラオケ装置Ｋに対する利用者のログインを行うログイン処理部１００を有し、取得部２００は、ログインしている利用者の数を利用者人数として取得する。このように利用者によるログインの情報を利用することにより、カラオケ装置Ｋは、利用者人数を容易に把握することができる。
【００５８】
また、本実施形態に係るカラオケ装置Ｋにおける取得部２００は、楽曲を予約中の利用者を示す利用者識別情報と当該楽曲を示す楽曲識別情報とを紐づけた予約待ち行列に含まれる利用者識別情報に基づいて、利用者人数を取得することができる。このように予約待ち行列に含まれる利用者識別情報を利用することにより、実際に歌唱待ち時間が生じる利用者の人数に応じて演奏モードを選択できる。
【００５９】
＜第２実施形態＞
次に、図５を参照して、第２実施形態に係るカラオケ装置について説明する。本実施形態では、利用者を撮影して得られた画像に基づいて利用者人数を取得する例について述べる。第１実施形態と同様の構成については説明を省略する。
【００６０】
＝＝カラオケ装置＝＝
図５に示すように、本実施形態に係るカラオケ装置Ｋは、カラオケ本体１０、スピーカ２０、表示装置３０、マイク４０、リモコン装置５０、及びカメラ６０を備える。
【００６１】
カメラ６０は、カラオケ装置Ｋを利用する利用者を撮影するための構成である。カメラ６０は、たとえば、カラオケ喫茶に設置されているカラオケ装置Ｋの場合、カラオケ喫茶の店内にいる利用者全てが撮影できる位置に設置されている。なお、図５では、カメラ６０はカラオケ装置Ｋの構成の一部として記載しているが、カラオケ装置Ｋとカメラ６０は別の構成であってもよい。カメラ６０は「撮影手段」の一例である。
【００６２】
本実施形態に係る取得部２００は、カメラ６０により利用者を撮影して得られた画像を解析することにより、利用者人数を取得する。
【００６３】
具体的に、取得部２００は、画像に含まれる利用者の顔を顔認識処理により抽出し、抽出した顔の数をカウントすることで利用者人数を取得する。なお、顔認識処理は、公知の手法を用いることができる。
【００６４】
選択部３００は、取得部２００の取得した利用者人数に応じて演奏モードを選択する。なお、カラオケ喫茶のような場所では利用者の数が流動的である。よって、本実施形態のように画像から利用者人数を取得する場合、カラオケ演奏の開始直前に利用者人数を取得することにより、カラオケ演奏開始時点での利用者人数に応じて適切な演奏モードを選択できる。
【００６５】
このように、本実施形態に係る取得部２００は、カメラ６０により利用者を撮影して得られた画像を解析することにより、利用者人数を取得することができる。画像を利用することにより、各利用者がログインしていない状態であってもカラオケ装置Ｋを利用する利用者人数を正確に取得することができる。
【００６６】
＜その他＞
利用者人数の取得は上記実施形態の例に限られない。たとえば、カラオケ喫茶等に設置されているカラオケ装置Ｋであれば、利用者の人数を店主がリモコン装置５０を介して直接入力することができる。この場合、取得部２００は、入力された値に基づいて利用者人数を取得することができる。
【００６７】
上記実施形態は、例として提示したものであり、発明の範囲を限定するものではない。上記の構成は、適宜組み合わせて実施することが可能であり、発明の要旨を逸脱しない範囲で、種々の省略、置き換え、変更を行うことができる。上記実施形態やその変形は、発明の範囲や要旨に含まれると同様に、特許請求の範囲に記載された発明とその均等の範囲に含まれる。
【符号の説明】
【００６８】
１００  ログイン処理部
２００  取得部
３００  選択部
４００  演奏制御部
Ｋ  カラオケ装置
【図１】
2020134902.tif 000003
【図２】
2020134902.tif 000004
【図３】
2020134902.tif 000005
【図４】
2020134902.tif 000006
【図５】
2020134902.tif 000007